(57)【要約】  集塵フィルタに与えられる帯電電荷量を増加し得る集塵装置、集塵方法、および集塵システムを提供することを目的とする。集塵装置は、空気に含まれる塵埃を集塵フィルタで集める。また集塵装置は、加圧部と、支持部と、駆動部とを備える。加圧部は、集塵フィルタを加圧する。支持部は、集塵フィルタに対して加圧部を支持する。駆動部は、加圧部が集塵フィルタを加圧している場合に支持部を動かす。このような構成によって、集塵フィルタの表面だけでなく、集塵フィルタの内部の摩擦も可能とする。
2017212669.tif 000002
【特許請求の範囲】
【請求項１】
空気流方向に流れる空気に含まれる塵埃を集塵フィルタを用いて集める集塵装置において、
前記集塵フィルタを前記空気流方向に向けて加圧する加圧部と、
前記集塵フィルタに対して前記加圧部を支持する支持部と、
前記加圧部が前記集塵フィルタを加圧している場合に前記支持部を前記空気流方向に交差する交差方向に沿って動かす駆動部とを備える
ことを特徴とする集塵装置。
【請求項２】
前記加圧部は、前記駆動部の前記駆動によって前記集塵フィルタに沿って移動する
ことを特徴とする請求項１に記載の集塵装置。
【請求項３】
前記加圧部は、前記加圧部が加圧する加圧方向に対して垂直な方向に沿って移動する
ことを特徴とする請求項２に記載の集塵装置。
【請求項４】
前記加圧部は、前記加圧部が加圧する加圧方向に対して垂直な方向に沿って振動する
ことを特徴とする請求項２に記載の集塵装置。
【請求項５】
前記加圧部は、前記加圧部が加圧する加圧方向に対して垂直な方向に沿って回転する
ことを特徴とする請求項２に記載の集塵装置。
【請求項６】
前記集塵フィルタは、分極を生じるエレクトレット材を含む
ことを特徴とする請求項１〜５の何れか１項に記載の集塵装置。
【請求項７】
前記エレクトレット材は、
第１帯電列を有する第１繊維材と、
前記第１帯電列とは異なる第２帯電列を有する第２繊維材とを備える
ことを特徴とする請求項６に記載の集塵装置。
【請求項８】
前記加圧部は、円筒形状を有する
ことを特徴とする請求項１〜７のいずれか１項に記載の集塵装置。
【請求項９】
前記加圧部は、
前記集塵フィルタの一面に接触して前記集塵フィルタを加圧する第１加圧部位と、
前記集塵フィルタの他面に接触して前記集塵フィルタを加圧する第２加圧部位とを備え、
前記支持部は、
前記一面上に配置してあり、前記第１加圧部位を支持する第１支持部位と、
前記他面上に配置してあり、前記第２加圧部位を支持する第２支持部位とを備える
ことを特徴とする請求項１または２に記載の集塵装置。
【請求項１０】
前記駆動部は、前記第１加圧部位を第１移動速度で移動させ、前記第２加圧部位を前記第１移動速度とは異なる第２移動速度で移動させる
ことを特徴とする請求項９に記載の集塵装置。
【請求項１１】
空気流方向に流れる空気に含まれる塵埃を集塵フィルタを用いて集める集塵方法において、
前記集塵フィルタを前記空気流方向に向けて加圧する加圧部および前記集塵フィルタに対して前記加圧部を支持する支持部を準備する準備工程と、
前記加圧部が前記集塵フィルタを加圧している場合に前記支持部を前記空気流方向に交差する交差方向に沿って動かす第１工程と、
前記第１工程における前記支持部の動きによって前記加圧部を動かす第２工程とを備える
ことを特徴とする集塵方法。
【請求項１２】
風路中を空気流方向に流れる空気に含まれる塵埃を集める集塵システムにおいて、
前記空気を通過させ前記塵埃を集める集塵フィルタと、
前記集塵フィルタを通過した前記空気に処理を行う処理装置と、
前記集塵フィルタを前記空気流方向に向けて加圧する加圧部と、
前記集塵フィルタに対して前記加圧部を支持する支持部と、
前記加圧部が前記集塵フィルタを加圧している場合に前記支持部を動かすことによって前記加圧部を前記空気流方向に交差する交差方向に沿って動かす駆動部とを備える
ことを特徴とする集塵システム。
【請求項１３】
前記空気に含まれる塵埃を検出するセンシング装置を備え、
前記駆動部は、前記空気に含まれる塵埃を前記センシング部が検出した場合に前記加圧部を動かす
ことを特徴とする請求項１２に記載の集塵システム。
【発明の詳細な説明】
【技術分野】
【０００１】
本発明は、集塵を捕集する集塵装置、集塵方法、および集塵システムに関する。
【背景技術】
【０００２】
取り込んだ空気に対し、加熱、冷却、加湿、除湿、除菌、送風などの処理を行うさまざまな処理装置が知られている。処理装置の一例である空気調和機では、送風機を用いて空気を取り込み、取り込んだ空気に空気調和を行い、空気調和が行われた空気を排出する。取り込む空気に塵挨が含まれている場合、塵挨の侵入によって処理装置内の構成要素の動作効率が低下する虞がある。そのため、塵挨を捕集する集塵装置を搭載した処理装置、例えば集塵装置を搭載した空気調和機が知られている。【０００３】
集塵装置は概して、集塵を行う集塵フィルタを備える。従来、集塵力を向上すべく、集塵フィルタへ静電気力を付与する静電気力付与技術が知られている。（例えば特許文献１）。具体的には、集塵フィルタの表面を摩擦し、帯電および再帯電を促し、静電気力を用いて集塵力の向上を図る試みがなされている。
【先行技術文献】
【特許文献】
【０００４】
【特許文献１】特開２０１２−４７３５３公報
【発明の概要】
【発明が解決しようとする課題】
【０００５】
従来の静電気力付与技術では、集塵フィルタの表面摩擦を介し、集塵フィルタの表面に静電気力が与えられる。しかしながら、従来の静電気力付与技術では、集塵フィルタに与えられる帯電電荷量を更に増加させることが困難である。なぜなら、集塵フィルタの表面が保持し得る帯電電荷量には限界があるからである。【０００６】
本発明は、上記のような事情を鑑みてなされたものであり、集塵フィルタに与えられる帯電電荷量を増加できる集塵装置、集塵方法、および集塵システムを提供することを目的とする。
【課題を解決するための手段】
【０００７】
本発明に係る集塵装置は、空気流方向に流れる空気に含まれる塵埃を集塵フィルタを用いて集める集塵装置であり、集塵フィルタを空気流方向に向けて加圧する加圧部と、集塵フィルタに対して加圧部を支持する支持部と、加圧部が集塵フィルタを加圧している場合に支持部を空気流方向に交差する交差方向に沿って動かす駆動部とを備える。【０００８】
本発明に係る集塵方法は、空気流方向に流れる空気に含まれる塵埃を集塵フィルタを用いて集める集塵方法であり、集塵フィルタを空気流方向に向けて加圧する加圧部および集塵フィルタに対して加圧部を支持する支持部を準備する準備工程と、加圧部が集塵フィルタを加圧している場合に支持部を空気流方向に交差する交差方向に沿って動かす第１工程と、第１工程における支持部の動きによって加圧部を動かす第２工程とを備える。【０００９】
本発明に係る集塵システムは、空気流方向に流れる空気に含まれる塵埃を集塵フィルタで集める集塵システムであり、塵埃を集める集塵フィルタと、集塵フィルタを通過した空気に処理を行う処理装置と、集塵フィルタを空気流方向に向けて加圧する加圧部と、集塵フィルタに対して加圧部を支持する支持部と、加圧部が集塵フィルタを加圧している場合に支持部を動かすことによって加圧部を空気流方向に交差する交差方向に沿って動かす駆動部とを備える。
【発明の効果】
【００１０】
本発明に係る集塵装置によれば、加圧部によって集塵フィルタが加圧されている状態で支持部が動く。集塵フィルタを加圧している加圧部は、支持部の動きによって、加圧状態を保ちながら集塵フィルタ上を動き得る。つまり、加圧によって集塵フィルタを部分的に変形させ、その変形を集塵フィルタ上で移動させることができる。そのため、集塵フィルタの表面だけでなく、集塵フィルタの内部摩擦が可能となり、集塵フィルタの表面だけでなく集塵フィルタの内部にも静電気力を与えることが可能となる。したがって、集塵フィルタに与えられる帯電電荷量を増加し得る。その結果、集塵フィルタによる集塵性能が向上し得る。ここで内部摩擦とは、集塵フィルタとは異なる部材が集塵フィルタの表面と擦れる現象を意味する表面摩擦とは異なり、集塵フィルタを構成する濾材の材料同士が擦れる現象を意味する。【００１１】
本発明に係る集塵方法によれば、加圧部によって集塵フィルタが加圧されている状態で支持部を動かせる。集塵フィルタを加圧している加圧部については、支持部の動きによって、加圧状態を保ちながら集塵フィルタ上を動かせ得る。そのため、集塵フィルタの表面だけでなく、集塵フィルタの内部摩擦が可能となり、集塵フィルタの表面だけでなく集塵フィルタの内部にも静電気力を与えることが可能となる。したがって、集塵フィルタに与えられる帯電電荷量を増加し得る。その結果、集塵フィルタによる集塵性能が向上し得る。【００１２】
本発明に係る集塵システムによれば、加圧部によって集塵フィルタが加圧されている状態で支持部が動く。集塵フィルタを加圧している加圧部は、支持部の動きによって、加圧状態を保ちながら集塵フィルタ上を動き得る。そのため、集塵フィルタの表面だけでなく、集塵フィルタの内部摩擦が可能となり、集塵フィルタの表面だけでなく集塵フィルタの内部にも静電気力を与えることが可能となる。したがって、集塵フィルタに与えられる帯電電荷量を増加し得る。その結果、集塵フィルタによる集塵性能が向上し得る。
【図面の簡単な説明】
【００１３】
【図１】実施の形態１に係る集塵システムを示す説明図である。
【図２】実施の形態１に係る集塵装置を模式的に示す正面からの断面図である。
【図３】実施の形態１に係る集塵装置を模式的に示す側面からの断面図である。
【図４】実施の形態１に係る集塵フィルタを模式的に示す部分断面図である。
【図５】実施の形態１に係る加圧部が集塵フィルタを加圧する状況を説明する説明図である。
【図６】実施の形態１に係る集塵システムの動作手順を説明するフローチャートである。
【図７】実施の形態２に係る複数の繊維材を用いた集塵フィルタを模式的に示す断面図である。
【図８】実施の形態２に係る複数の繊維材を用いた集塵フィルタを加圧する状況を説明する説明図である。
【図９】実施の形態３に係る材料が異なる繊維材のシートを重ねた構成による集塵フィルタを模式的に示す断面図である。
【図１０】実施の形態３に係る複数の繊維材のシートを用いた集塵フィルタを加圧する状況を説明する説明図である。
【図１１】実施の形態４に係る集塵装置を模式的に示す正面からの断面図である。
【図１２】実施の形態５に係る集塵装置を模式的に示す側面からの断面図である。
【図１３】実施の形態６に係る集塵装置を模式的に示す正面からの断面図である。
【図１４】実施の形態６に係る集塵装置を模式的に示す側面からの断面図である。
【発明を実施するための形態】
【００１４】
以下、添付図面を参照して、本願が開示する集塵装置、集塵方法、および集塵システムの実施の形態を詳細に説明する。以下の記載において、摩擦状態を表す表現として、表面摩擦および内部摩擦を使用している。表面摩擦とは、集塵フィルタとは異なる部材が集塵フィルタの表面と擦れる現象を意味し、内部摩擦とは、集塵フィルタを構成する濾材の材料同士が擦れる現象を意味する。単に摩擦と記載している場合、表面摩擦および内部摩擦を区別していない事を意味する。なお、以下に示す実施の形態は一例であり、これらの実施の形態によって本発明が限定されるものではない。
【００１５】
実施の形態１．
図１は、実施の形態１に係る集塵システムを示す説明図である。実施の形態１に係る集塵システム１は、ビル等に設置される業務用空気調和システムの一部であり、集塵装置２と、ファン３と、風路４と、センシング装置６とを備える。
【００１６】
集塵装置２は、風路４内に取り込まれた空気に含まれる塵埃５を集塵する装置である。集塵装置２は、風路４内に配置してある。集塵装置２は、後述するが、集塵フィルタ２１を備える。空気に含まれる塵埃５は、集塵装置２の集塵フィルタ２１によって取り除かれ得る。
【００１７】
ファン３は、空気を外部から風路４内に取り込むため、風路４内の空気に対して送風処理を行う送風機である。つまり、ファン３は実施の形態１に係る処理装置の一例である。ファン３は、業務用空気調和システムの一部である。そのため、ファン３によって取り込まれた空気に対して空気調和処理も施され得る。したがって、このような空気調和処理を行う空気調和機も、実施の形態１に係る処理装置の一例である。
【００１８】
ファン３は、風路４内に配置してある。ファン３は、空気が取り込まれる空気流方向において、集塵装置２の下流に配置してある。そのため集塵装置２によって、ファン３へ取り込まれる空気から塵埃５が除去され得る。
【００１９】
風路４は、外部から取り込んだ空気をファン３を介して空気調和機へと導く配管である。風路４内には、集塵装置２およびファン３が配置してある。図１においては、ファン３の風路４の右側から左側に向かって空気が流れる。つまり、図１においては、右側から左側に向かう方向が空気流方向となる。
【００２０】
風路４内において、空気流方向に流れる空気は、集塵フィルタ２１を通過して塵埃５が除去された後、ファン３へと取り込まれ得る。ファン３へと取り込まれた空気は、その後、空気調和機へと導かれ、空気調和処理が施され得る。
【００２１】
センシング装置６は、風路４内を流れる空気中の塵挨５を検出する装置である。センシング装置６は、大気中の塵挨濃度または個数を計測する方式として、フィルタ振動法、ベータ線吸収法などを使用可能である。しかしながら、集塵システム１に設置するセンシング装置６は、使用する方式を特に制限するものではなく、光散乱法などを使用してもよい。
【００２２】
図２は、実施の形態１に係る集塵装置２を模式的に示す正面からの断面図である。図３は、実施の形態１に係る集塵装置２を模式的に示す側面からの断面図である。図４は、実施の形態１に係る集塵フィルタ２１を模式的に示す部分断面図である。図５は、実施の形態１に係る加圧部２２が集塵フィルタ２１を加圧する状況を説明する説明図である。集塵装置２は、集塵フィルタ２１、加圧部２２、駆動部２３、ネジ軸２４、ネジ部材２５、ガイドシャフト２６、シャフトスライド部材２７、固定枠２８、および通気性部材２９を備える。
【００２３】
集塵フィルタ２１は、複数の繊維材２１１を用いて構成され、縦辺および横辺を有する矩形のシート状部材であり、固定枠２８に固定してある。集塵フィルタ２１は、空気流方向に流れる空気に含まれる塵埃５の除去に使用される。繊維材２１１としては、キュプラ、レーヨン、アセテート、ナイロン、ポリエステル、アクリル、アラミド、ビニロン、ビニリデン、ポリ塩化ビニル、ポリ塩化ビニリデン、ポリエチレン、ポリプロピレン、ポリウレタン、綿、麻、絹、羊毛、ガラス繊維、パルプなどを使用し得る。
【００２４】
複数の繊維材２１１のうちの少なくとも１つは、エレクトレット特性を有する。エレクトレット特性を有する繊維材２１１は、例えば、ポリエチレン、ポリプロピレン、アクリルなどである。エレクトレット特性を有する繊維材２１１を集塵フィルタ２１に用いることによって、長期にわたり後述する摩擦帯電の効果を持続することができる。摩擦帯電の効果によって、空気中の塵埃５が集塵フィルタ２１のエレクトレット特性繊維材２１１に吸引される。そのため、集塵装置２の集塵性能が向上し得る。ここで「エレクトレット特性」とは、外部電界が存在しない状態でも恒久的に電気分極を保持し、電荷を帯び得る特性をいう。
【００２５】
集塵フィルタ２１を構成するシートについて、製法に関する特段の制限はない。集塵フィルタ２１として、編物、織物、不織布等を使用し得る。
【００２６】
加圧部２２は、集塵フィルタ２１を加圧する加圧部材である。加圧部２２は、例えば円筒状の加圧部材であり、軸長方向が集塵フィルタ２１の縦辺方向に沿うように配置してある。加圧部２２は、後で詳述するネジ軸２４、ネジ部材２５、ガイドシャフト２６、およびシャフトスライド部材２７によって、集塵フィルタ２１に対して支持されている。具体的には、軸長方向の一端側がネジ軸２４およびネジ部材２５によって支持されており、軸長方向の他端側がガイドシャフト２６およびシャフトスライド部材２７によって支持されている。
【００２７】
加圧部２２は、断面形状として真円、楕円、多角形、歯車形状、ギア形状などを有する。
【００２８】
加圧部２２は、絶縁性の高い高分子材料を含む。絶縁性の高い高分子材料を含むことによって、集塵フィルタ２１に生じた電荷が加圧部２２に移動する事態を抑制し得る。絶縁性の高い高分子材料は、例えば、ポリスチレン、ＡＢＳ樹脂、ポリプロピレン、ＰＣ、ＰＣ／ＡＢＳ、変性ＰＰＥ、ＰＢＴ、フェノール樹脂、メラミン樹脂、天然ゴム、スチレンブタジエンゴム、ブタジエンゴム、ブチルゴム、エチレンプロピレンゴム、クロロプレンアクリロゴム、ニトリルブタジエンゴム、シリコーンゴム、フッ素ゴム、多硫化ゴムなどである。ここで「絶縁性が高い」とは、絶縁性の基準として材料の体積固有抵抗（Ω・ｃｍ）が１０の８乗以上であることをいう。加圧部２２に絶縁性の低い材料を用いた場合、集塵フィルタ２１に生じた電荷が集塵フィルタ２１から移動し、集塵フィルタ２１の静電気力が低下し、集塵フィルタ２１の集塵性能向上が阻害され得る。
【００２９】
駆動部２３は、駆動して加圧部２２を動かす駆動部材であり、ネジ軸２４およびネジ部材２５を介して加圧部２２と接続してある。駆動部２３は、集塵フィルタ２１を加圧した状態の加圧部２２を集塵フィルタ２１上で動かすことによって、集塵フィルタ２１を摩擦し、集塵フィルタ２１に静電気力を与える。
【００３０】
ネジ軸２４およびネジ部材２５の組み合わせは、駆動部２３の駆動力を加圧部２２に伝えるボールねじ部材である。ネジ軸２４は、軸長方向が集塵フィルタ２１の横辺方向に沿うように配置された棒状部材であり、固定枠２８に対して固定してある。このボールねじ部材は、固定枠２８を介して集塵フィルタ２１に接続してあり、加圧部２２と駆動部２３とにも接続してある。ネジ部材２５は、集塵フィルタ２１に対して加圧部２２を支持する支持部材としても機能する。
【００３１】
駆動部２３がネジ軸２４を回転させた場合、その回転方向に応じて、ネジ部材２５がネジ軸２４上を軸長の正または負の方向に移動する。図２においては、駆動部２３の動作に応じ、ネジ部材２５は左右に移動する。ネジ部材２５の移動に伴って加圧部２２が移動するように構成してある。
【００３２】
シャフトスライド部材２７は、ネジ部材２５の動きに対応して動く。ガイドシャフト２６は、軸長方向が集塵フィルタ２１の横辺方向に沿うように配置された棒状部材であり、固定枠２８を介して集塵フィルタ２１に接続してあり、加圧部２２にも接続してある。シャフトスライド部材２７は、集塵フィルタ２１に対して加圧部２２を支持する。つまりシャフトスライド部材２７は、駆動部２３の駆動に応じて加圧部２２を動かす支持部材としても機能する。
【００３３】
ネジ軸２４およびガイドシャフト２６は、加圧部２２が集塵フィルタ２１を加圧しながら動ける位置に取り付けてある。また、ネジ軸２４およびガイドシャフト２６は、集塵フィルタ２１の表面に対して水平に配置してある。ネジ軸２４およびガイドシャフト２６が集塵フィルタ２１の表面に対して水平に配置していない場合、集塵フィルタ２１は部分的に十分な加圧を受けることが出来ない虞がある。
【００３４】
シャフトスライド部材２７は、ネジ部材２５の動きに連動して動く。そのため、シャフトスライド部材２７の摩擦抵抗およびガイドシャフト２６の摩擦抵抗は比較的小さい。シャフトスライド部材２７の摩擦抵抗およびガイドシャフト２６の摩擦抵抗に特段の制限を設ける必要はなく、駆動部２３の駆動によってネジ部材２５とシャフトスライド部材２７とが連動すれば良い。
【００３５】
固定枠２８は、集塵フィルタ２１を固定する矩形の枠状部材である。固定枠２８には、ネジ軸２４およびガイドシャフト２６が接続してある。また固定枠２８は、集塵フィルタ２１と比較し、絶縁性が高い高分子材料を用いて製造してある。比較的高い絶縁性を導くべく、固定枠２８に用いる高分子材料の体積固有抵抗（Ω・ｃｍ）は、１０の８乗以上である。高分子材料として、例えば、ポリスチレン、ＡＢＳ樹脂、ポリプロピレン、ＰＣ、ＰＣ／ＡＢＳ、変性ＰＰＥ、ＰＢＴ、フェノール樹脂、メラミン樹脂などが使用可能である。一方、固定枠２８に絶縁性の比較的低い材料を用いた場合、集塵フィルタ２１に生じた電荷が固定枠２８を介して分散し得る。そのため、絶縁性の比較的低い材料を用いた場合、集塵フィルタ２１の集塵性能が向上しない虞がある。
【００３６】
通気性部材２９は、通気性を有する部材であり、加圧部２２を用いて集塵フィルタ２１を挟持する位置に配置してある。集塵フィルタ２１によって集塵された空気は、通気性部材２９を通過してファン３へと流れる。
【００３７】
通気性部材２９は、集塵フィルタ２１と比較し、絶縁性の高い高分子材料を用いて製造してある。通気性部材２９に用いる高分子材料の体積固有抵抗（Ω・ｃｍ）は、１０の８乗以上であり、比較的高い絶縁性を備える。高分子材料として、例えば、ポリスチレン、ＡＢＳ樹脂、ポリプロピレン、ＰＣ、ＰＣ／ＡＢＳ、変性ＰＰＥ、ＰＢＴ、フェノール樹脂、メラミン樹脂などが使用可能である。一方、通気性部材２９に絶縁性の低い材料を用いた場合、集塵フィルタ２１に生じた電荷が通気性部材２９を介して分散し得る。そのため、絶縁性の比較的低い材料を用いた場合、集塵フィルタ２１の集塵性能が向上しない虞がある。
【００３８】
通気性部材２９は、通気性を確保している場合、その構造は特に制限されない。例えば、網状部材、開孔加工材などを使用しても良い。また通気性部材２９は、接着または溶融等の接続手段を用いて集塵フィルタ２１に接続してある。
【００３９】
集塵フィルタ２１が加圧部２２によって加圧された場合、加圧部２２から通気性部材２９へと向かう外力が集塵フィルタ２１に加わる。通気性部材２９を設けることによって、外力に起因した集塵フィルタ２１の変形を抑制し、加圧の効果を高めることができる。加圧の効果が高められた加圧状態の加圧部２２を移動するように動かすことによって、摩擦効果が向上し得る。具体的には、集塵フィルタ２１の表面だけでなく、集塵フィルタ２１の内部においても十分な摩擦力を発生し得る。発生した摩擦力に起因し、集塵フィルタ２１の表面だけでなく、集塵フィルタ２１の内部においても、集塵フィルタ２１のエレクトレット特性を有する繊維材２１１を介して内部摩擦により静電気力が生じる。そのため、集塵フィルタ２１に与える静電気力の増強が期待できる。加圧が無い状態の集塵フィルタ２１から加圧が有る状態の集塵フィルタ２１へ向けた集塵フィルタ２１の表面変形量をΔＬ１とし、加圧が無い状態の通気性部材２９から加圧が有る状態の通気性部材２９へ向けた通気性部材２９の変形量をΔＬ１´とした場合、ΔＬ１＞ΔＬ１´を満たすよう集塵フィルタ２１、加圧部２２、ネジ軸２４、ガイドシャフト２６、固定枠２８、通気性部材２９等が配置してある。
【００４０】
表面摩擦と内部摩擦とでは、得られる静電気力が異なる。表面摩擦の場合、集塵フィルタ表層部の繊維が帯電することにより静電気力を得る。一方内部摩擦の場合、集塵フィルタ内部の繊維をも帯電することができる。そのため、表面摩擦よりも内部摩擦の方がより多くの静電気力を得ることができる。
【００４１】
ファン３によって生じる風は、加圧部２２と接触する集塵フィルタ２１の一面側から加圧部２２と接触しない集塵フィルタ２１の他面側へと流れる。図１においては、右側から左側に流れ、図２においては、手前側から奥側に流れる。この方向を第１方向とする。
【００４２】
加圧部２２と接触する集塵フィルタ２１の一面側に向かって集塵対象の空気が流れる上述した構成の場合、集塵フィルタ２１の一面側に対する摩擦を確実に行うことが出来る。そのため、一面側の帯電が十分に行われ、効率的に集塵効果を高めることができる。しかしながら、本発明はこの構成に限定されるものではない。加圧部２２と接触しない集塵フィルタ２１の他面側に向かって集塵対象の空気が流れる反対構成としても良い。この反対構成の場合、集塵対象の空気が当たる他面側に加圧部２２が存在しないため、集塵フィルタ２１の他面側全面を集塵領域として使用できる。そのため、他面側の帯電が十分である場合には、効率的に集塵効果を高めることができる。
【００４３】
加圧部２２は、駆動部２３による駆動に応じ、ネジ軸２４の軸長方向およびガイドシャフト２６の軸長方向に沿って移動する。加圧部２２の移動の向きは、駆動部２３の駆動によるネジ軸２４の回転方向に依存しており、正方向および負方向のどちらにも移動することができる。図２の一例においては、駆動部２３による駆動が生じた場合、加圧部２２は、図面の右方向または左方向に向かって移動する。具体的には、集塵フィルタ２１の全面を移動する移動運動、集塵フィルタ２１の比較的広い範囲を行き来する往復運動、集塵フィルタ２１の比較的狭い範囲を行き来する振動運動を行う。このような動作によって、加圧部２２は集塵フィルタ２１の摩擦を行う。ここで、ネジ軸２４の軸長方向およびガイドシャフト２６の軸長方向を第２方向と呼ぶ。第２方向は、上述した第１方向に対して交差する方向である。実施の形態１においては、第１方向と第２方向とが実質的に垂直となる一例を示してある。第１方向と第２方向とが実質的に垂直となる場合、風路４に対して必要となる集塵フィルタ２１の面積を最小にすることができ、コスト削減効果が得られる。
【００４４】
集塵フィルタ２１を加圧した状態の加圧部２２が移動運動、往復運動、または振動運動を行う場合、図５に示したように、加圧部２２が正の電荷を帯び、エレクトレット特性を有する繊維材２１１によって集塵フィルタ２１が負の電荷を帯びる。加圧部２２による集塵フィルタ２１の加圧、加圧した集塵フィルタ２１内における繊維材２１１の移動によって、加圧部２２と繊維材２１１との表面摩擦効果および繊維材２１１同士の内部摩擦効果を高めることができる。集塵フィルタ２１は、加圧されることによって加圧部２２側から通気性部材２９側へ向けて変形するため、集塵フィルタ２１の内部にも負の電荷が生じる。そのため、集塵フィルタ２１の表面だけでなく、集塵フィルタ２１の内部にも十分な静電気力を生じることが可能となる。
【００４５】
ファン３によって風が生じる通風状態の場合、加圧部２２は、移動運動、往復運動、または振動運動を行うこと無く、集塵フィルタ２１の端部の位置で停止する。たとえば、図２の一例においては、集塵フィルタ２１における図面の右方向端部または左方向端部で停止する。この構成によって、加圧部２２に起因する通風妨害を防ぐことが可能となり、業務用空気調和システムの空気調和効率低下を抑制できる。しかしながら、摩擦の必要性に応じ、通風状態の場合であっても、加圧部２２が移動運動、往復運動、または振動運動を行う構成としても良い。
【００４６】
集塵フィルタ２１を構成する繊維材２１１の原料が単一である場合、加圧部２２は、集塵フィルタ２１を構成する繊維材２１１の単一材料とは帯電列の異なる材料を用いて製造される。集塵フィルタ２１と加圧部２２との帯電列が異なることによって、上述したように、加圧部２２は正に摩擦帯電し、繊維材２１１は負に摩擦帯電する。集塵フィルタ２１の帯電によって、集塵装置２の集塵性能が向上する。
【００４７】
図６は、実施の形態１に係る集塵システム１の動作手順を説明するフローチャートである。業務用空気調和システムの一部である集塵システム１は、動作開始の操作を受けたか否かを判断する（ステップＳ１）。動作開始の操作を受けたと判断した場合（Ｓ１：ＹＥＳ）、集塵システム１は、ファン３を動作させ、風路４内において集塵装置２からファン３に向けた方向に空気を流す（ステップＳ２）。動作開始の操作を受けていないと判断した場合（Ｓ１：ＮＯ）、集塵システム１は、動作開始の操作を受けたか否かの判断を繰り返す。風路４内を流れる空気は、集塵フィルタ２１の集塵装置２を通過する際、集塵フィルタ２１によって集塵される。集塵された空気は、ファン３を介して空気調和装置に到達し、空気調和を受ける。
【００４８】
集塵システム１は、ファン３の動作開始の後、駆動条件が整ったか否かの判断を行う（ステップＳ３）。駆動条件が整ったと判断した場合（Ｓ３：ＹＥＳ）、集塵システム１は、集塵装置２の駆動部２３を駆動する（ステップＳ４）。駆動部２３の駆動によって、集塵システム１は、加圧部２２が集塵フィルタ２１を加圧した状態で加圧部２２を集塵フィルタ２１上で移動させる（ステップＳ５）。具体的には、移動運動、往復運動、または振動運動を行わせる。加圧状態での加圧部２２の移動によって、集塵フィルタ２１の表面摩擦だけでなく内部摩擦も生じ、集塵フィルタ２１の表面だけでなく内部にも静電気力が供給され得る。したがって、集塵フィルタ２１の表面に静電気力を供給する場合と比較し、内部にも静電気力を蓄えることが可能となり、集塵フィルタ２１自体に与えられる帯電電荷量を増加し得る。その結果、集塵フィルタ２１による集塵装置２の集塵性能が向上し得る。駆動条件が整ったと判断しなかった場合（Ｓ３：ＮＯ）、集塵システム１は、集塵システム１は、駆動条件が整ったか否かの判断を繰り返す。ここで、「駆動条件」とは、ユーザが設定可能な条件であり、設定した日時、運転開始からの経過時間、集塵フィルタ２１の集塵状況、加圧部２２の移動回数、ユーザからの指示等が一例として挙げられる。
【００４９】
駆動条件の判断基準として、風路４内に設置したセンシング装置６による空気中の塵挨６の濃度や個数がある。センシング装置６があらかじめ決められた基準値を超える塵挨濃度や個数を計測した場合に、集塵フィルタ２１の集塵性能を向上させるため、駆動条件が整ったと判断し（ステップＳ３：ＹＥＳ）、集塵システム１は、集塵装置２の駆動部２３を駆動する（ステップＳ４）。
【００５０】
加圧部２２は、移動運動、往復運動、または振動運動を行う。移動運動を行う場合、集塵フィルタ２１が全体的に摩擦され、集塵フィルタ２１の全体に静電気力が供給され得る。往復運動を行う場合、移動運動が複数回生じるため、集塵フィルタ２１の全体に供給される静電気力が増加する。振動運動の場合、集塵フィルタ２１が部分的に摩擦され、集塵フィルタ２１の一部に対しても静電気力が供給され得る。また、移動運動および往復運動と比較して加圧部２２の移動距離が短くなるため、短時間で処理が終了し得る。
【００５１】
集塵システム１は、加圧部２２の移動終了後、駆動条件が整ったか否かの判断を再度行う（ステップＳ６）。駆動条件が整ったと判断した場合（Ｓ６：ＹＥＳ）、集塵システム１は、処理をステップＳ４に戻し、集塵装置２の駆動部２３を駆動し（ステップＳ４）、その後の処理を継続する。駆動条件が整っていないと判断した場合（Ｓ６：ＮＯ）、集塵システム１は、動作停止の操作を受けたか否かを判断する（ステップＳ７）。
【００５２】
集塵システム１は、動作停止の操作を受けたと判断した場合（Ｓ７：ＹＥＳ）、ファン３の動作を停止し、処理を終了する。動作停止の操作を受けていないと判断した場合（Ｓ７：ＮＯ）、集塵システム１は、処理をステップＳ６に戻し、駆動条件が整ったか否かの再判断を行い（ステップＳ６）、その後の処理を継続する。
【００５３】
集塵システム１は、動作開始の後に駆動条件が整った場合に駆動部２３を駆動する。例えば、実施の形態１に係る集塵システム１は、集塵フィルタ２１の集塵性能低下を判断し、判断結果に基づいて駆動部２３が駆動するように構成してある。このような構成によって、適切な時期に集塵フィルタ２１の再帯電をすることが可能となる。また駆動部２３は、駆動部２３の駆動が終了した後、駆動条件が整った場合に再度駆動を行う。このような構成によって、適切な時期に加圧部２２が再度移動し、集塵フィルタ２１の連続的な再帯電をすることが可能となる。
【００５４】
上述した集塵システム１では、業務用空気調和システムの一部として説明された。しかしながら、家庭用の空気調和システムに集塵システム１を組み込んでも良い。
【００５５】
上述した集塵システム１では、加圧部２２が集塵フィルタ２１を常時加圧する構成として説明された。しかしながら、加圧部２２と集塵フィルタ２１との間の距離を変更できるように加圧部２２が移動し得る構成としても良い。具体的には、加圧部２２が集塵フィルタ２１に接近する方向に移動して集塵フィルタ２１を加圧し、集塵フィルタ２１に対して離隔する方向に移動して集塵フィルタ２１を非加圧とする構成にしてもよい。この構成によって、集塵フィルタ２１に溜まった静電気力が加圧部２２を介して減少する虞を抑制することが可能となる。
【００５６】
上述したように、実施の形態１に係る集塵システム１では、加圧部２２によって集塵フィルタ２１が加圧されている状態でネジ部材２５およびシャフトスライド部材２７が移動する。集塵フィルタ２１を加圧している加圧部２２は、ネジ部材２５およびシャフトスライド部材２７の移動によって、加圧状態を保ちながら集塵フィルタ２１上を移動し得る。そのため、加圧部２２の支持を強固にしながらも加圧部２２を集塵フィルタ２１全体に亘って適切に移動させることが可能となる。また、集塵フィルタ２１全体に亘る適切な加圧部２２の移動を実現するだけでなく、集塵フィルタ２１の表面に加えて集塵フィルタ２１の内部摩擦が可能となり、集塵フィルタ２１の表面だけでなく集塵フィルタ２１の内部にも静電気力を与えることが可能となる。したがって、集塵フィルタ２１に与えられる帯電電荷量を増加し得る。その結果、集塵フィルタ２１による集塵性能が向上し得る。
【００５７】
上述したように、実施の形態１に係る集塵システム１では、加圧部２２を用いて集塵フィルタ２１を摩擦し、静電気を発生させる。加圧部２２の表面は集塵フィルタ２１の繊維解れを抑制できる構造である。したがって、実施の形態１に係る集塵システム１は、静電気の再帯電に伴う集塵フィルタ２１のダメージを抑制でき、連続運転性能が向上する。
【００５８】
実施の形態２．
図７は、実施の形態２に係る複数の繊維材２１１ａ、２１１ｂを用いた集塵フィルタ２１を模式的に示す断面図である。図８は、実施の形態２に係る複数の繊維材２１１ａ、２１１ｂを用いた集塵フィルタ２１を加圧する状況を説明する説明図である。実施の形態２に係る集塵システム１について、実施の形態１に係る集塵システム１と同様の構成については説明を省略する。
【００５９】
実施の形態１に係る集塵システム１では、図４および図５に示したように、繊維材２１１の原料が単一である集塵フィルタ２１を使用していた。しかしながら、本発明はそのような一例に限定されない。実施の形態２に係る集塵システム１では、図７に示すように、集塵フィルタ２１は、帯電列の異なる繊維材２１１ａと繊維材２１１ｂとを有するように構成してある。帯電列の異なる繊維材２１１ａと繊維材２１１ｂとを用いることによって、加圧部２２と集塵フィルタ２１との表面摩擦に起因した帯電だけでなく、繊維材２１１ａと繊維材２１１ｂとの内部摩擦に起因した帯電も可能となる。そのため、集塵フィルタ２１の深層部分に対してもより効率的な帯電が可能となる。集塵フィルタ２１中での繊維材２１１ａと２１１ｂとの配置については、特段の制限はない。
【００６０】
加圧状態の加圧部２２を集塵フィルタ２１上で移動させることによって、図８に示すように、繊維材２１１ａと２１１ｂとの内部摩擦が生じ、集塵フィルタ２１に帯電が生じる。集塵フィルタ２１内の繊維材２１１ａと２１１ｂとの内部摩擦による帯電では、集塵フィルタ２１表面の加圧部２２と繊維材との表面摩擦による帯電と比較し、集塵フィルタ２１内部の奥深くまで帯電され、集塵フィルタ２１は高い集塵性能を得られる。
【００６１】
上述したように、実施の形態２に係る集塵システム１では、加圧部２２によって集塵フィルタ２１が加圧されている状態でネジ部材２５およびシャフトスライド部材２７が移動する。集塵フィルタ２１を加圧している加圧部２２は、ネジ部材２５およびシャフトスライド部材２７の移動によって、加圧状態を保ちながら集塵フィルタ２１上を移動し得る。そのため、集塵フィルタ２１の表面だけでなく、帯電列の異なる繊維材２１１ａ、２１１ｂを介して集塵フィルタ２１の内部摩擦が可能となり、集塵フィルタ２１の表面だけでなく集塵フィルタ２１の内部にも静電気力を与えることが可能となる。したがって、集塵フィルタ２１に与えられる帯電電荷量を増加し得る。その結果、集塵フィルタ２１による集塵性能が向上し得る。
【００６２】
実施の形態３．
図９は、実施の形態３に係る材料が異なる繊維材２１１ａ、２１１ｂのシートを重ねた構成による集塵フィルタ２１を模式的に示す断面図である。図１０は、実施の形態３に係る複数の繊維材２１１ａ、２１１ｂのシートを用いた集塵フィルタ２１を加圧する状況を説明する説明図である。実施の形態３に係る集塵システム１について、実施の形態１に係る集塵システム１と同様の構成については説明を省略する。
【００６３】
実施の形態３に係る集塵フィルタ２１は、繊維材２１１ａを用いた第１シートと、材料が異なる繊維材２１１ｂを用いた第２シートとを重ねて構成してある。帯電列の異なる繊維材２１１ａ、２１１ｂを材料が異なることによって、第１シートと第２シートとでは、摩擦に対する帯電力が異なり、帯電力に基づく捕集効率が異なる構成となり得る。そのため、集塵フィルタ２１の初期濾過性能を向上する効果が得られる。ここで「初期濾過性能」とは、製造後の使用開始初期であって性能低下が起こっていない状態における集塵フィルタ２１の濾過性能を意味する。繊維材２１１ａを用いた第１シートと材料が異なる繊維材２１１ｂを用いた第２シートとを重ねることによって、密度の相違に起因する目開きの大小に基づき表面濾過と深層濾過との組み合わせが実現し、圧力損失が低く捕集効率が高い集塵フィルタ２１とすることができる。
【００６４】
加圧状態の加圧部２２を集塵フィルタ２１上で移動させることによって、図１０に示すように、繊維材２１１ａのシートと２１１ｂのシートとの摩擦帯電が生じる。繊維材２１１ａのシートと２１１ｂのシートとが接する集塵フィルタ２１の内部側部分の摩擦によって帯電が生じるため、集塵フィルタ２１表面の加圧部２２と繊維材２１１ａのシートとの摩擦による帯電と比較し、集塵フィルタ２１内部の奥深くまで帯電され、集塵フィルタ２１は高い集塵性能を得られる。
【００６５】
上述したように、実施の形態３に係る集塵システム１では、加圧部２２によって集塵フィルタ２１が加圧されている状態でネジ部材２５およびシャフトスライド部材２７が移動する。集塵フィルタ２１を加圧している加圧部２２は、ネジ部材２５およびシャフトスライド部材２７の移動によって、加圧状態を保ちながら集塵フィルタ２１上を移動し得る。そのため、集塵フィルタ２１の表面だけでなく、帯電列の異なる繊維材２１１ａのシートと繊維材２１１ｂのシートとを介して集塵フィルタ２１の内部摩擦が可能となり、集塵フィルタ２１の表面だけでなく集塵フィルタ２１の内部にも静電気力を与えることが可能となる。したがって、集塵フィルタ２１に与えられる帯電電荷量を増加し得る。その結果、集塵フィルタ２１による集塵性能が向上し得る。
【００６６】
実施の形態４．
図１１は、実施の形態４に係る集塵装置２を模式的に示す正面からの断面図である。実施の形態４に係る集塵装置２を含んだ集塵システム１について、実施の形態１に係る集塵システム１と同様の構成については説明を省略する。
【００６７】
実施の形態４に係る集塵装置２が有する加圧部２２は、実施の形態１に係る加圧部２２と異なり、通気可能な構造としてある。具体的には、空気が通る通気口が複数表面に開口してあるメッシュ状の板部材である。また、実施の形態４に係る集塵装置２が有する加圧部２２は、実施の形態１に係る加圧部２２と比較し、集塵フィルタ２１の表面を覆う面積が大きくなるように構成してある。具体的には、実施の形態４に係る加圧部２２は、集塵フィルタ２１に対して一回り小さい矩形状としてある。実施の形態４に係る集塵装置２は、より大きな面積を用いた加圧部２２による加圧を可能とすべく、ネジ軸２４上に加圧部２２を支持するネジ部材２５を２個備え、ガイドシャフト２６上に加圧部２２を支持するシャフトスライド部材２７を２個備える。つまり、実施の形態４に係るメッシュ板状の加圧部２２は、実施の形態１に係る円筒状の加圧部２２と同様に、ネジ軸２４およびガイドシャフト２６に沿って行き来する運動を行い、集塵フィルタ２１を摩擦する。実施の形態４に係るメッシュ板状の加圧部２２は、集塵フィルタ２１の比較的狭い範囲を行き来する振動運動を行う。
【００６８】
実施の形態４に係る集塵システム１では、通気性を有する比較的大きな加圧部２２を備える。そのため、集塵フィルタ２１の表面を加圧部２２が移動する時間をより短縮できる。そのため、加圧部２２と集塵フィルタ２１とによる摩擦帯電の効率を高めることが可能となる。
【００６９】
上述したように、実施の形態４に係る集塵システム１では、加圧部２２によって集塵フィルタ２１が加圧されている状態でネジ部材２５およびシャフトスライド部材２７が移動する。集塵フィルタ２１を加圧している加圧部２２は、ネジ部材２５およびシャフトスライド部材２７の移動によって、加圧状態を保ちながら集塵フィルタ２１上を移動し得る。そのため、集塵フィルタ２１の表面だけでなく、集塵フィルタ２１の内部摩擦が可能となり、集塵フィルタ２１の表面だけでなく集塵フィルタ２１の内部にも静電気力を与えることが可能となる。したがって、集塵フィルタ２１に与えられる帯電電荷量を増加し得る。その結果、集塵フィルタ２１による集塵性能が向上し得る。更に、加圧部２２が大きくなったことによって、摩擦に必要な加圧部２２の移動時間が短くなり、摩擦帯電の効率を高めることが可能となる。
【００７０】
実施の形態５．
図１２は、実施の形態５に係る集塵装置２を模式的に示す側面からの断面図である。実施の形態５に係る集塵装置２を含んだ集塵システム１について、実施の形態１に係る集塵システム１と同様の構成については説明を省略する。
【００７１】
実施の形態５に係る集塵装置２は、第１加圧部位となる加圧部２２ａと第２加圧部位となる加圧部２２ｂとを備える。加圧部２２ａと加圧部２２ｂとはそれぞれ、実施の形態１の加圧部２２と同様の構成である。しかしながら実施の形態５では、加圧部２２ａと加圧部２２ｂとが集塵フィルタ２１を挟むように配置してある。そのため、加圧部２２ａは、第１方向における一方側へ向かって集塵フィルタ２１を加圧し、加圧部２２ｂは、第１方向における他方側へ向かって集塵フィルタ２１を加圧する。
【００７２】
実施の形態５に係る集塵装置２は、加圧部２２ａに対する駆動部２３ａ、ネジ軸２４ａ、ネジ部材２５ａ、および固定枠２８ａと、加圧部２２ｂに対する駆動部２３ｂ、ネジ軸２４ｂ、ネジ部材２５ｂ、および固定枠２８ｂとを備える。そのため集塵フィルタ２１は、固定枠２８ａと２８ｂとによって固定される。
【００７３】
加圧部２２ａは、シャフトスライド部材２７ａとネジ部材２５ａによって固定され、ネジ部材２５ａの動きに連動して動くことができる。同様に、加圧部２２ｂは、シャフトスライド部材２７ｂとネジ部材２５ｂによって固定され、ネジ部材２５ｂの動きに連動して動くことができる。
【００７４】
加圧部２２ａ、２２ｂには絶縁性の高い高分子材料を用いる。絶縁性の基準として材料の体積固有抵抗（Ω・ｃｍ）が１０の８乗以上であり、ポリスチレン、ＡＢＳ樹脂、ポリプロピレン、ＰＣ、ＰＣ／ＡＢＳ、変性ＰＰＥ、ＰＢＴ、フェノール樹脂、メラミン樹脂、天然ゴム、スチレンブタジエンゴム、ブタジエンゴム、ブチルゴム、エチレンプロピレンゴム、クロロプレンアクリロゴム、ニトリルブタジエンゴム、シリコーンゴム、フッ素ゴム、多硫化ゴムなどを使用可能である。加圧部２２ａ、２ｂに絶縁性の低い材料を用いた場合、集塵フィルタ２１に生じた電荷が移動し、集塵フィルタ２１の集塵性能が低下する虞がある。
【００７５】
加圧時の加圧部２２ａによる集塵フィルタ２１表面の変形量をΔＬ２ａ、加圧部２２ｂによる集塵フィルタ２１表面の変形量をΔＬ２ｂとした場合、加圧部２２と加圧部Ｂ２ｂとを備えることによって集塵フィルタ２１表面の変形量はΔＬ２ａ＋ΔＬ２ｂとなる。そのため、複数の加圧部２２ａ、２２ｂを有する構成によって集塵フィルタ２１表面の変化量が大きくなり、繊維材２１１の移動量が増加し、摩擦に係る圧力が増大する。したがって、摩擦帯電の効果が向上することで集塵フィルタ２１の集塵性能も向上する。
【００７６】
上述したように、実施の形態５に係る集塵システム１では、加圧部２２ａ、２２ｂによって集塵フィルタ２１が加圧されている状態でネジ部材２５ａ、２５ｂおよびシャフトスライド部材２７ａ、２７ｂが移動する。集塵フィルタ２１を加圧している加圧部２２ａ、２２ｂは、加圧状態を保ちながら集塵フィルタ２１上を移動し得る。そのため、集塵フィルタ２１の表面だけでなく、集塵フィルタ２１の内部摩擦が可能となり、集塵フィルタ２１の表面だけでなく集塵フィルタ２１の内部にも静電気力を与えることが可能となる。更に、複数の加圧部２２ａ、２２ｂを有する構成によって、与えられる摩擦に係る圧力が増大する。したがって、集塵フィルタ２１に与えられる帯電電荷量を増加し得る。その結果、集塵フィルタ２１による集塵性能が向上し得る。
【００７７】
実施の形態６．
図１３は、実施の形態６に係る集塵装置２を模式的に示す正面からの断面図である。図１４は、実施の形態６に係る集塵装置２を模式的に示す側面からの断面図である。実施の形態６に係る集塵装置２を含んだ集塵システム１について、実施の形態１に係る集塵システム１と同様の構成については説明を省略する。
【００７８】
実施の形態６に係る集塵装置２は、集塵フィルタ２１を挟むように配置された回転体２０ａと回転体２０ｂとを備える。回転体２０ａは、上述した第１方向の一方側に向かって集塵フィルタ２１を加圧する第１加圧部位となる加圧部２２ａを備え、回転体２０ｂは、上述した第１方向の他方側に向かって集塵フィルタ２１を加圧する第２加圧部位となる加圧部２２ｂとを備える。回転体２０ａは、回転軸２４１と軸止２５１ａとによって回転可能に固定してあり、回転体２０ｂは、回転軸２４１と軸止２５１ｂとによって回転可能に固定してある。
【００７９】
回転体２０ａは、駆動ベルト２７１ａを介して駆動部２３に接続してあり、回転体２０ｂは、駆動ベルト２７１ｂを介して駆動部２３に接続してある。回転体２０ａおよび回転体２０ｂは、集塵フィルタ２１を加圧する位置に配置してあり、駆動部２３の駆動によって回転する。つまり回転体２０ａおよび回転体２０ｂは、集塵フィルタ２１を加圧した状態で、加圧方向とは実質的に垂直となる方向へ回転することによって集塵フィルタ２１を摩擦する。
【００８０】
加圧部２２ａおよび２２ｂには、絶縁性の高い高分子材料を使用してある。絶縁性の基準として材料の体積固有抵抗（Ω・ｃｍ）が１０の８乗以上であり、ポリスチレン、ＡＢＳ樹脂、ポリプロピレン、ＰＣ、ＰＣ／ＡＢＳ、変性ＰＰＥ、ＰＢＴ、フェノール樹脂、メラミン樹脂、天然ゴム、スチレンブタジエンゴム、ブタジエンゴム、ブチルゴム、エチレンプロピレンゴム、クロロプレンアクリロゴム、ニトリルブタジエンゴム、シリコーンゴム、フッ素ゴム、多硫化ゴムなどが使用可能である。加圧部２２ａ、２２ｂに絶縁性の低い材料を用いた場合、集塵フィルタ２１に生じた電荷が移動し、集塵フィルタ２１の集塵性能が低下する虞がある。
【００８１】
回転体２０ａは、駆動部２３の駆動に応答した駆動ベルト２７１ａの動きに連動して回転する。駆動ベルト２７１ａの運動速度は、駆動部２３の軸径の大きさと回転速度に依存する。回転体２０ｂは、駆動部２３の駆動に応答した駆動ベルト２７１ｂの動きに連動して回転する。駆動ベルト２７１ｂの運動速度は、駆動部２３の軸径の大きさと回転速度に依存する。つまり、回転体２０ａおよび回転体２０ｂの回転運動は、駆動部２３によって制御される。
【００８２】
駆動部２３について、駆動ベルト２７１ａが取り付けられている位置の軸径と駆動ベルト２７１ｂが取り付けられている位置の軸径とを異なるように構成することによって、回転体２０ａと回転体２０ｂを異なる移動速度で回転移動することが可能となる。すなわち、駆動部２３の軸径の大きさを調整することによって、第１加圧部位が移動する第１回転移動速度と第２加圧部位が移動する第２回転移動速度とが異なるように制御できるようになる。
【００８３】
駆動部２３が駆動する際に、集塵フィルタ２１に対して加圧部２２ａと加圧部２２ｂとが対向する位置にある場合、第１回転移動速度と第２回転移動速度とを同じ速度にする構成が好ましい。第１回転移動速度と第２回転移動速度とを同じ速度にすることによって、加圧部２２ａと加圧部２２ｂとの対向状態を維持しつつ回転体２０ａおよび回転体２０ｂが回転することになる。加圧部２２ａおよび加圧部２２ｂによって維持された加圧状態が集塵フィルタ２１の全体に対して回転移動することによって、集塵フィルタ２１の全体を加圧し、大きな摩擦帯電効果が得られるためである。
【００８４】
駆動部２３が駆動する際に、集塵フィルタ２１に対して加圧部２２ａと加圧部２２ｂとが対向する位置にない場合、第１回転移動速度と第２回転移動速度とを異なる速度にする構成が好ましい。第１回転移動速度と第２回転移動速度とを異なる速度にすることによって、集塵フィルタ２１上のさまざまな部位で加圧部２２ａと加圧部２２ｂとが対向および非対向を繰り返し、集塵フィルタ２１の全体加圧が可能となるからである。
【００８５】
集塵フィルタ２１を加圧部２２ａと加圧部２２ｂとによって加圧する加圧方法として、回転体２０ａと回転体２０ｂとを同じ向きに回転させる構成を採用してもよく、逆向きに回転させる構成を採用してもよい。ギア等を用いて駆動部２３の駆動に対する駆動ベルト２７１ａの動きと駆動ベルト２７１ｂの動きとを同じ向きに構成した場合、転体２０ａと回転体２０ｂとを同じ向きに回転させることが可能となり、駆動部２３の駆動に対する駆動ベルト２７１ａの動きと駆動ベルト２７１ｂの動きとを逆向きに構成した場合、転体２０ａと回転体２０ｂとを逆向きに回転させることが可能となる。転体２０ａと回転体２０ｂとを同じ向きに回転させた場合、転体２０ａの径方向に設けてある棒状部位である加圧部２２ａと回転体２０ｂの径方向に設けてある棒状部位である加圧部２２ｂとが一定の距離を空けて回転する。そのため、集塵フィルタ２１の全面を同程度の圧力で加圧することが可能となる。転体２０ａと回転体２０ｂとを逆向きに回転させた場合、回転体２０ａの加圧部２２ａと回転体２０ｂの加圧部２２ｂとの距離が回転に応じて増減し、重なる状態も生じ得る。そのため、集塵フィルタ２１を加圧する圧力値を周期ごとに増減させることが可能となる。
【００８６】
上述したように、実施の形態６に係る集塵システム１では、加圧部２２ａ、２２ｂによって集塵フィルタ２１が加圧されている状態で回転体２０ａおよび回転体２０ｂが回転する。集塵フィルタ２１を加圧している加圧部２２ａ、２２ｂは、加圧状態を保ちながら集塵フィルタ２１上を移動し得る。そのため、集塵フィルタ２１の表面だけでなく、集塵フィルタ２１の内部をも摩擦することが可能となり、集塵フィルタ２１の表面だけでなく集塵フィルタ２１の内部にも静電気力を与えることが可能となる。更に、回転運動によって摩擦する構成であるため、加圧部２２ａ、２２ｂの移動スペースを縮小することが可能となり、延いては集塵装置２の小型化が可能となる。したがって、集塵装置２の小型化を実現しつつ、集塵フィルタ２１に与えられる帯電電荷量を増加し得る。
【００８７】
実施の形態６に係る集塵システム１では、集塵フィルタ２１の表面を摩擦する回転体２０ａと裏面を摩擦する回転体２０ｂとを備える構成について説明した。しかしながら、集塵フィルタ２１の表面および裏面のうちの一方を摩擦する１個の回転体を備える構成としてもよい。この構成によって、必要となる回転体の個数が少なくなるため、製造コストの削減が期待できる。
【００８８】
本発明は、以上のように説明し且つ記述した特定の詳細、および代表的な実施の形態に限定されるものではない。当業者によって容易に導き出すことのできる変形例、および効果も発明に含まれる。したがって、特許請求項の範囲、およびその均等物によって定義される総括的な発明の概念の精神または範囲から逸脱することなく、様々な変更が可能である。
【符号の説明】
【００８９】
１  集塵システム、２  集塵装置、２０ａ  回転体、２０ｂ  回転体、２１  集塵フィルタ、２１１  繊維材、２１１ａ  繊維材、２２１ｂ  繊維材、２２  加圧部、２２ａ  加圧部、２２ｂ  加圧部、２３  駆動部、２４  ネジ軸、２４１  回転軸、２５  ネジ部材、２５ａ  ネジ部材、２５ｂ  ネジ部材、２５１ａ  軸止、２５１ｂ  軸止、２６  ガイドシャフト、２７  シャフトスライド部材、２７ａ  シャフトスライド部材、２７ｂ  シャフトスライド部材、２７１ａ  駆動ベルト、２７１ｂ  駆動ベルト、２８  固定枠、２９  通気性部材、３  ファン、４  風路、５  塵埃、６  センシング装置。
【図１】
2017212669.tif 000003
【図２】
2017212669.tif 000004
【図３】
2017212669.tif 000005
【図４】
2017212669.tif 000006
【図５】
2017212669.tif 000007
【図６】
2017212669.tif 000008
【図７】
2017212669.tif 000009
【図８】
2017212669.tif 000010
【図９】
2017212669.tif 000011
【図１０】
2017212669.tif 000012
【図１１】
2017212669.tif 000013
【図１２】
2017212669.tif 000014
【図１３】
2017212669.tif 000015
【図１４】
2017212669.tif 000016
【手続補正書】
【提出日】平成29年7月13日(2017.7.13)
【手続補正１】
【補正対象書類名】明細書
【補正対象項目名】０００７
【補正方法】変更
【補正の内容】
【０００７】
本発明に係る集塵装置は、空気流方向に流れる空気に含まれる塵埃を集塵フィルタを用いて集める集塵装置であり、集塵フィルタを空気流方向に向けて加圧する加圧部と、集塵フィルタに対して加圧部を支持する支持部と、加圧部が集塵フィルタを加圧している場合に支持部を空気流方向に交差する交差方向に沿って動かす駆動部とを備え、集塵フィルタは、加圧部との摩擦によって静電気力を生ずる繊維材を有し、加圧部は、支持部と接続してあり、支持部を介し駆動部により動かされる。
【手続補正２】
【補正対象書類名】明細書
【補正対象項目名】０００８
【補正方法】変更
【補正の内容】
【０００８】
本発明に係る集塵方法は、空気流方向に流れる空気に含まれる塵埃を集塵フィルタを用いて集める集塵方法であり、集塵フィルタを空気流方向に向けて加圧する加圧部、加圧部との摩擦によって静電気力を生ずる繊維材を有する集塵フィルタ、および加圧部に接続してあり、集塵フィルタに対して加圧部を支持する支持部を準備する準備工程と、加圧部が集塵フィルタを加圧している場合に支持部を空気流方向に交差する交差方向に沿って動かす第１工程と、第１工程における支持部の動きを介し加圧部を動かす第２工程とを備える。
【手続補正３】
【補正対象書類名】明細書
【補正対象項目名】０００９
【補正方法】変更
【補正の内容】
【０００９】
本発明に係る集塵システムは、空気流方向に流れる空気に含まれる塵埃を集塵フィルタで集める集塵システムであり、塵埃を集める集塵フィルタと、集塵フィルタを通過した空気に処理を行う処理装置と、集塵フィルタを空気流方向に向けて加圧する加圧部と、集塵フィルタに対して加圧部を支持する支持部と、加圧部が集塵フィルタを加圧している場合に支持部を動かすことによって加圧部を空気流方向に交差する交差方向に沿って動かす駆動部とを備え、集塵フィルタは、加圧部との摩擦によって静電気力を生ずる繊維材を有し、加圧部は、支持部と接続してあり、支持部を介し駆動部により動かされる。
【手続補正４】
【補正対象書類名】特許請求の範囲
【補正対象項目名】全文
【補正方法】変更
【補正の内容】
【特許請求の範囲】
【請求項１】
空気流方向に流れる空気に含まれる塵埃を集塵フィルタを用いて集める集塵装置において、
前記集塵フィルタを前記空気流方向に向けて加圧する加圧部と、
前記集塵フィルタに対して前記加圧部を支持する支持部と、
前記加圧部が前記集塵フィルタを加圧している場合に前記支持部を前記空気流方向に交差する交差方向に沿って動かす駆動部とを備え、
前記集塵フィルタは、前記加圧部との摩擦によって静電気力を生ずる繊維材を有し、
前記加圧部は、前記支持部と接続してあり、前記支持部を介し前記駆動部により動かされる
ことを特徴とする集塵装置。
【請求項２】
前記加圧部は、前記駆動部の駆動によって前記集塵フィルタに沿って移動する
ことを特徴とする請求項１に記載の集塵装置。
【請求項３】
前記加圧部は、前記加圧部が加圧する加圧方向に対して垂直な方向に沿って移動する
ことを特徴とする請求項２に記載の集塵装置。
【請求項４】
前記加圧部は、前記加圧部が加圧する加圧方向に対して垂直な方向に沿って振動する
ことを特徴とする請求項２に記載の集塵装置。
【請求項５】
前記加圧部は、前記加圧部が加圧する加圧方向に対して垂直な方向に沿って回転する
ことを特徴とする請求項２に記載の集塵装置。
【請求項６】
前記集塵フィルタは、分極を生じるエレクトレット材を含む
ことを特徴とする請求項１〜５の何れか１項に記載の集塵装置。
【請求項７】
前記エレクトレット材は、
第１帯電列を有する第１繊維材と、
前記第１帯電列とは異なる第２帯電列を有する第２繊維材とを備える
ことを特徴とする請求項６に記載の集塵装置。
【請求項８】
前記加圧部は、円筒形状を有する
ことを特徴とする請求項１〜７のいずれか１項に記載の集塵装置。
【請求項９】
前記加圧部は、
前記集塵フィルタの一面に接触して前記集塵フィルタを加圧する第１加圧部位と、
前記集塵フィルタの他面に接触して前記集塵フィルタを加圧する第２加圧部位とを備え、
前記支持部は、
前記一面上に配置してあり、前記第１加圧部位を支持する第１支持部位と、
前記他面上に配置してあり、前記第２加圧部位を支持する第２支持部位とを備える
ことを特徴とする請求項１または２に記載の集塵装置。
【請求項１０】
前記駆動部は、前記第１加圧部位を第１移動速度で移動させ、前記第２加圧部位を前記第１移動速度とは異なる第２移動速度で移動させる
ことを特徴とする請求項９に記載の集塵装置。
【請求項１１】
空気流方向に流れる空気に含まれる塵埃を集塵フィルタを用いて集める集塵方法において、
前記集塵フィルタを前記空気流方向に向けて加圧する加圧部、前記加圧部との摩擦によって静電気力を生ずる繊維材を有する前記集塵フィルタ、および前記加圧部に接続してあり、前記集塵フィルタに対して前記加圧部を支持する支持部を準備する準備工程と、
前記加圧部が前記集塵フィルタを加圧している場合に前記支持部を前記空気流方向に交差する交差方向に沿って動かす第１工程と、
前記第１工程における前記支持部の動きを介し前記加圧部を動かす第２工程とを備える
ことを特徴とする集塵方法。
【請求項１２】
風路中を空気流方向に流れる空気に含まれる塵埃を集める集塵システムにおいて、
前記空気を通過させ前記塵埃を集める集塵フィルタと、
前記集塵フィルタを通過した前記空気に処理を行う処理装置と、
前記集塵フィルタを前記空気流方向に向けて加圧する加圧部と、
前記集塵フィルタに対して前記加圧部を支持する支持部と、
前記加圧部が前記集塵フィルタを加圧している場合に前記支持部を動かすことによって前記加圧部を前記空気流方向に交差する交差方向に沿って動かす駆動部とを備え、
前記集塵フィルタは、前記加圧部との摩擦によって静電気力を生ずる繊維材を有し、
前記加圧部は、前記支持部と接続してあり、前記支持部を介し前記駆動部により動かされる
ことを特徴とする集塵システム。
【請求項１３】
前記空気に含まれる塵埃を検出するセンシング装置を備え、
前記駆動部は、前記空気に含まれる塵埃を前記センシング部が検出した場合に前記加圧部を動かす
ことを特徴とする請求項１２に記載の集塵システム。
【手続補正書】
【提出日】平成29年9月15日(2017.9.15)
【手続補正１】
【補正対象書類名】明細書
【補正対象項目名】０００７
【補正方法】変更
【補正の内容】
【０００７】
本発明に係る集塵装置は、空気流方向に流れる空気に含まれる塵埃を集塵フィルタを用いて集める集塵装置であり、集塵フィルタを空気流方向に向けて加圧する加圧部と、移動可能であり、集塵フィルタに対して加圧部を支持する支持部と、加圧部が集塵フィルタを加圧している場合に支持部を空気流方向に交差する交差方向に沿って動かす駆動部とを備え、集塵フィルタは、加圧部との摩擦によって静電気力を生ずる繊維材を有し、加圧部は、支持部と接続してあり、支持部を介し駆動部により動かされ、集塵フィルタは、分極を生じるエレクトレット材を含み、エレクトレット材は、第１帯電列を有する第１繊維材と、第１帯電列とは異なる第２帯電列を有する第２繊維材とを備える。
【手続補正２】
【補正対象書類名】明細書
【補正対象項目名】０００８
【補正方法】変更
【補正の内容】
【０００８】
本発明に係る集塵方法は、空気流方向に流れる空気に含まれる塵埃を集塵フィルタを用いて集める集塵方法であり、集塵フィルタを空気流方向に向けて加圧する加圧部、加圧部との摩擦によって静電気力を生ずる繊維材を有し、第１帯電列を有する第１繊維材と、第１帯電列とは異なる第２帯電列を有する第２繊維材とを備えた分極を生じるエレクトレット材を含む集塵フィルタ、および加圧部に接続してあり、移動可能であり、集塵フィルタに対して加圧部を支持する支持部を準備する準備工程と、加圧部が集塵フィルタを加圧している場合に支持部を空気流方向に交差する交差方向に沿って動かす第１工程と、第１工程における支持部の動きを介し加圧部を動かす第２工程とを備える。
【手続補正３】
【補正対象書類名】明細書
【補正対象項目名】０００９
【補正方法】変更
【補正の内容】
【０００９】
本発明に係る集塵システムは、空気流方向に流れる空気に含まれる塵埃を集塵フィルタで集める集塵システムであり、塵埃を集める集塵フィルタと、集塵フィルタを通過した空気に処理を行う処理装置と、集塵フィルタを空気流方向に向けて加圧する加圧部と、移動可能であり、集塵フィルタに対して加圧部を支持する支持部と、加圧部が集塵フィルタを加圧している場合に支持部を動かすことによって加圧部を空気流方向に交差する交差方向に沿って動かす駆動部とを備え、集塵フィルタは、加圧部との摩擦によって静電気力を生ずる繊維材を有し、加圧部は、支持部と接続してあり、支持部を介し駆動部により動かされ、集塵フィルタは、分極を生じるエレクトレット材を含み、エレクトレット材は、第１帯電列を有する第１繊維材と、第１帯電列とは異なる第２帯電列を有する第２繊維材とを備える。
【手続補正４】
【補正対象書類名】特許請求の範囲
【補正対象項目名】全文
【補正方法】変更
【補正の内容】
【特許請求の範囲】
【請求項１】
空気流方向に流れる空気に含まれる塵埃を集塵フィルタを用いて集める集塵装置において、
前記集塵フィルタを前記空気流方向に向けて加圧する加圧部と、
移動可能であり、前記集塵フィルタに対して前記加圧部を支持する支持部と、
前記加圧部が前記集塵フィルタを加圧している場合に前記支持部を前記空気流方向に交差する交差方向に沿って動かす駆動部とを備え、
前記集塵フィルタは、前記加圧部との摩擦によって静電気力を生ずる繊維材を有し、
前記加圧部は、前記支持部と接続してあり、前記支持部を介し前記駆動部により動かされ、
前記集塵フィルタは、分極を生じるエレクトレット材を含み、
前記エレクトレット材は、
第１帯電列を有する第１繊維材と、
前記第１帯電列とは異なる第２帯電列を有する第２繊維材とを備える
ことを特徴とする集塵装置。
【請求項２】
前記加圧部は、前記駆動部の駆動によって前記集塵フィルタに沿って移動する
ことを特徴とする請求項１に記載の集塵装置。
【請求項３】
前記加圧部は、前記加圧部が加圧する加圧方向に対して垂直な方向に沿って移動する
ことを特徴とする請求項２に記載の集塵装置。
【請求項４】
前記加圧部は、前記加圧部が加圧する加圧方向に対して垂直な方向に沿って振動する
ことを特徴とする請求項２に記載の集塵装置。
【請求項５】
前記加圧部は、前記加圧部が加圧する加圧方向に対して垂直な方向に沿って回転する
ことを特徴とする請求項２に記載の集塵装置。
【請求項６】
前記加圧部は、円筒形状を有する
ことを特徴とする請求項１〜５のいずれか１項に記載の集塵装置。
【請求項７】
前記加圧部は、
前記集塵フィルタの一面に接触して前記集塵フィルタを加圧する第１加圧部位と、
前記集塵フィルタの他面に接触して前記集塵フィルタを加圧する第２加圧部位とを備え、
前記支持部は、
前記一面上に配置してあり、前記第１加圧部位を支持する第１支持部位と、
前記他面上に配置してあり、前記第２加圧部位を支持する第２支持部位とを備える
ことを特徴とする請求項１または２に記載の集塵装置。
【請求項８】
前記駆動部は、前記第１加圧部位を第１移動速度で移動させ、前記第２加圧部位を前記第１移動速度とは異なる第２移動速度で移動させる
ことを特徴とする請求項７に記載の集塵装置。
【請求項９】
空気流方向に流れる空気に含まれる塵埃を集塵フィルタを用いて集める集塵方法において、
前記集塵フィルタを前記空気流方向に向けて加圧する加圧部、前記加圧部との摩擦によって静電気力を生ずる繊維材を有し、第１帯電列を有する第１繊維材と、前記第１帯電列とは異なる第２帯電列を有する第２繊維材とを備えた分極を生じるエレクトレット材を含む前記集塵フィルタ、および前記加圧部に接続してあり、移動可能であり、前記集塵フィルタに対して前記加圧部を支持する支持部を準備する準備工程と、
前記加圧部が前記集塵フィルタを加圧している場合に前記支持部を前記空気流方向に交差する交差方向に沿って動かす第１工程と、
前記第１工程における前記支持部の動きを介し前記加圧部を動かす第２工程とを備える
ことを特徴とする集塵方法。
【請求項１０】
風路中を空気流方向に流れる空気に含まれる塵埃を集める集塵システムにおいて、
前記空気を通過させ前記塵埃を集める集塵フィルタと、
前記集塵フィルタを通過した前記空気に処理を行う処理装置と、
前記集塵フィルタを前記空気流方向に向けて加圧する加圧部と、
移動可能であり、前記集塵フィルタに対して前記加圧部を支持する支持部と、
前記加圧部が前記集塵フィルタを加圧している場合に前記支持部を動かすことによって前記加圧部を前記空気流方向に交差する交差方向に沿って動かす駆動部とを備え、
前記集塵フィルタは、前記加圧部との摩擦によって静電気力を生ずる繊維材を有し、
前記加圧部は、前記支持部と接続してあり、前記支持部を介し前記駆動部により動かされ、
前記集塵フィルタは、分極を生じるエレクトレット材を含み、
前記エレクトレット材は、
第１帯電列を有する第１繊維材と、
前記第１帯電列とは異なる第２帯電列を有する第２繊維材とを備える
ことを特徴とする集塵システム。
【請求項１１】
前記空気に含まれる塵埃を検出するセンシング装置を備え、
前記駆動部は、前記空気に含まれる塵埃を前記センシング装置が検出した場合に前記加圧部を動かす
ことを特徴とする請求項１０に記載の集塵システム。
【手続補正書】
【提出日】平成29年12月14日(2017.12.14)
【手続補正１】
【補正対象書類名】明細書
【補正対象項目名】０００７
【補正方法】変更
【補正の内容】
【０００７】
本発明に係る集塵装置は、空気流方向に流れる空気に含まれる塵埃を集塵フィルタを用いて集める集塵装置であり、集塵フィルタを空気流方向に向けて加圧する加圧部と、移動可能であり、集塵フィルタに対して加圧部を支持する支持部と、加圧部が集塵フィルタを加圧している場合に支持部を空気流方向に交差する交差方向に沿って動かす駆動部とを備え、集塵フィルタは、加圧部との摩擦によって静電気力を生ずる繊維材を有し、加圧部は、支持部と接続してあり、支持部を介し駆動部により動かされ、集塵フィルタは、分極を生じるエレクトレット材を含み、エレクトレット材は、第１帯電列を有する第１繊維材と、第１帯電列とは異なる第２帯電列を有する第２繊維材とを備えるものであり、加圧部は、駆動部の駆動によって集塵フィルタに沿って移動し、加圧部が加圧する加圧方向に対して垂直な方向に沿って回転する。
【手続補正２】
【補正対象書類名】明細書
【補正対象項目名】０００８
【補正方法】変更
【補正の内容】
【０００８】
本発明に係る集塵方法は、空気流方向に流れる空気に含まれる塵埃を集塵フィルタを用いて集める集塵方法であり、集塵フィルタを空気流方向に向けて加圧する加圧部、加圧部との摩擦によって静電気力を生ずる繊維材を有し、第１帯電列を有する第１繊維材と、第１帯電列とは異なる第２帯電列を有する第２繊維材とを備えた分極を生じるエレクトレット材を含む集塵フィルタ、および加圧部に接続してあり、移動可能であり、集塵フィルタに対して加圧部を支持する支持部を準備する準備工程と、加圧部が集塵フィルタを加圧している場合に支持部を空気流方向に交差する交差方向に沿って動かす第１工程と、第１工程における支持部の動きを介し加圧部を集塵フィルタに沿って移動させ、且つ、加圧部が加圧する加圧方向に対して垂直な方向に沿って回転させて動かす第２工程とを備える。
【手続補正３】
【補正対象書類名】明細書
【補正対象項目名】０００９
【補正方法】変更
【補正の内容】
【０００９】
本発明に係る集塵システムは、空気流方向に流れる空気に含まれる塵埃を集塵フィルタで集める集塵システムであり、塵埃を集める集塵フィルタと、集塵フィルタを通過した空気に処理を行う処理装置と、集塵フィルタを空気流方向に向けて加圧する加圧部と、移動可能であり、集塵フィルタに対して加圧部を支持する支持部と、加圧部が集塵フィルタを加圧している場合に支持部を動かすことによって加圧部を空気流方向に交差する交差方向に沿って動かす駆動部とを備え、集塵フィルタは、加圧部との摩擦によって静電気力を生ずる繊維材を有し、加圧部は、支持部と接続してあり、支持部を介し駆動部により動かされ、集塵フィルタは、分極を生じるエレクトレット材を含み、エレクトレット材は、第１帯電列を有する第１繊維材と、第１帯電列とは異なる第２帯電列を有する第２繊維材とを備えるものであり、加圧部は、駆動部の駆動によって集塵フィルタに沿って移動し、加圧部が加圧する加圧方向に対して垂直な方向に沿って回転する。
【手続補正４】
【補正対象書類名】特許請求の範囲
【補正対象項目名】全文
【補正方法】変更
【補正の内容】
【特許請求の範囲】
【請求項１】
空気流方向に流れる空気に含まれる塵埃を集塵フィルタを用いて集める集塵装置において、
前記集塵フィルタを前記空気流方向に向けて加圧する加圧部と、
移動可能であり、前記集塵フィルタに対して前記加圧部を支持する支持部と、
前記加圧部が前記集塵フィルタを加圧している場合に前記支持部を前記空気流方向に交差する交差方向に沿って動かす駆動部とを備え、
前記集塵フィルタは、前記加圧部との摩擦によって静電気力を生ずる繊維材を有し、
前記加圧部は、前記支持部と接続してあり、前記支持部を介し前記駆動部により動かされ、
前記集塵フィルタは、分極を生じるエレクトレット材を含み、
前記エレクトレット材は、
第１帯電列を有する第１繊維材と、
前記第１帯電列とは異なる第２帯電列を有する第２繊維材とを備えるものであり、
前記加圧部は、
前記駆動部の駆動によって前記集塵フィルタに沿って移動し、
前記加圧部が加圧する加圧方向に対して垂直な方向に沿って回転する
ことを特徴とする集塵装置。
【請求項２】
前記加圧部は、前記加圧部が加圧する加圧方向に対して垂直な方向に沿って移動する
ことを特徴とする請求項１に記載の集塵装置。
【請求項３】
前記加圧部は、前記加圧部が加圧する加圧方向に対して垂直な方向に沿って振動する
ことを特徴とする請求項１に記載の集塵装置。
【請求項４】
前記加圧部は、円筒形状を有する
ことを特徴とする請求項１〜３のいずれか１項に記載の集塵装置。
【請求項５】
空気流方向に流れる空気に含まれる塵埃を集塵フィルタを用いて集める集塵装置において、
前記集塵フィルタを前記空気流方向に向けて加圧する加圧部と、
移動可能であり、前記集塵フィルタに対して前記加圧部を支持する支持部と、
前記加圧部が前記集塵フィルタを加圧している場合に前記支持部を前記空気流方向に交差する交差方向に沿って動かす駆動部とを備え、
前記集塵フィルタは、前記加圧部との摩擦によって静電気力を生ずる繊維材を有し、
前記加圧部は、前記支持部と接続してあり、前記支持部を介し前記駆動部により動かされ、
前記集塵フィルタは、分極を生じるエレクトレット材を含み、
前記エレクトレット材は、
第１帯電列を有する第１繊維材と、
前記第１帯電列とは異なる第２帯電列を有する第２繊維材とを備えるものであり、
前記加圧部は、
前記集塵フィルタの一面に接触して前記集塵フィルタを加圧する第１加圧部位と、
前記集塵フィルタの他面に接触して前記集塵フィルタを加圧する第２加圧部位とを備え、
前記支持部は、
前記一面上に配置してあり、前記第１加圧部位を支持する第１支持部位と、
前記他面上に配置してあり、前記第２加圧部位を支持する第２支持部位とを備え
前記駆動部は、前記第１加圧部位を第１移動速度で移動させ、前記第２加圧部位を前記第１移動速度とは異なる第２移動速度で移動させる
ことを特徴とする集塵装置。
【請求項６】
前記加圧部は、前記駆動部の駆動によって前記集塵フィルタに沿って移動する
ことを特徴とする請求項５に記載の集塵装置。
【請求項７】
空気流方向に流れる空気に含まれる塵埃を集塵フィルタを用いて集める集塵方法において、
前記集塵フィルタを前記空気流方向に向けて加圧する加圧部、前記加圧部との摩擦によって静電気力を生ずる繊維材を有し、第１帯電列を有する第１繊維材と、前記第１帯電列とは異なる第２帯電列を有する第２繊維材とを備えた分極を生じるエレクトレット材を含む前記集塵フィルタ、および前記加圧部に接続してあり、移動可能であり、前記集塵フィルタに対して前記加圧部を支持する支持部を準備する準備工程と、
前記加圧部が前記集塵フィルタを加圧している場合に前記支持部を前記空気流方向に交差する交差方向に沿って動かす第１工程と、
前記第１工程における前記支持部の動きを介し前記加圧部を前記集塵フィルタに沿って移動させ、且つ、前記加圧部が加圧する加圧方向に対して垂直な方向に沿って回転させて動かす第２工程とを備える
ことを特徴とする集塵方法。
【請求項８】
空気流方向に流れる空気に含まれる塵埃を集塵フィルタを用いて集める集塵方法において、
前記集塵フィルタを前記空気流方向に向けて加圧する加圧部、前記加圧部との摩擦によって静電気力を生ずる繊維材を有し、第１帯電列を有する第１繊維材と、前記第１帯電列とは異なる第２帯電列を有する第２繊維材とを備えた分極を生じるエレクトレット材を含む前記集塵フィルタ、および前記加圧部に接続してあり、移動可能であり、前記集塵フィルタに対して前記加圧部を支持する支持部を準備する準備工程と、
前記加圧部が前記集塵フィルタを加圧している場合に前記支持部を前記空気流方向に交差する交差方向に沿って動かす第１工程と、
前記第１工程における前記支持部の動きを介し前記加圧部を動かす第２工程とを備えるものであり、
前記加圧部は、
前記集塵フィルタの一面に接触して前記集塵フィルタを加圧する第１加圧部位と、
前記集塵フィルタの他面に接触して前記集塵フィルタを加圧する第２加圧部位とを備え、
前記支持部は、
前記一面上に配置してあり、前記第１加圧部位を支持する第１支持部位と、
前記他面上に配置してあり、前記第２加圧部位を支持する第２支持部位とを備え
前記加圧部を、前記第１加圧部位を第１移動速度で移動させ、前記第２加圧部位を前記第１移動速度とは異なる第２移動速度で移動させる
ことを特徴とする集塵方法。
【請求項９】
風路中を空気流方向に流れる空気に含まれる塵埃を集める集塵システムにおいて、
前記空気を通過させ前記塵埃を集める集塵フィルタと、
前記集塵フィルタを通過した前記空気に処理を行う処理装置と、
前記集塵フィルタを前記空気流方向に向けて加圧する加圧部と、
移動可能であり、前記集塵フィルタに対して前記加圧部を支持する支持部と、
前記加圧部が前記集塵フィルタを加圧している場合に前記支持部を動かすことによって前記加圧部を前記空気流方向に交差する交差方向に沿って動かす駆動部とを備え、
前記集塵フィルタは、前記加圧部との摩擦によって静電気力を生ずる繊維材を有し、
前記加圧部は、前記支持部と接続してあり、前記支持部を介し前記駆動部により動かされ、
前記集塵フィルタは、分極を生じるエレクトレット材を含み、
前記エレクトレット材は、
第１帯電列を有する第１繊維材と、
前記第１帯電列とは異なる第２帯電列を有する第２繊維材とを備えるものであり、
前記加圧部は、
前記駆動部の駆動によって前記集塵フィルタに沿って移動し、
前記加圧部が加圧する加圧方向に対して垂直な方向に沿って回転する
ことを特徴とする集塵システム。
【請求項１０】
風路中を空気流方向に流れる空気に含まれる塵埃を集める集塵システムにおいて、
前記空気を通過させ前記塵埃を集める集塵フィルタと、
前記集塵フィルタを通過した前記空気に処理を行う処理装置と、
前記集塵フィルタを前記空気流方向に向けて加圧する加圧部と、
移動可能であり、前記集塵フィルタに対して前記加圧部を支持する支持部と、
前記加圧部が前記集塵フィルタを加圧している場合に前記支持部を動かすことによって前記加圧部を前記空気流方向に交差する交差方向に沿って動かす駆動部とを備え、
前記集塵フィルタは、前記加圧部との摩擦によって静電気力を生ずる繊維材を有し、
前記加圧部は、前記支持部と接続してあり、前記支持部を介し前記駆動部により動かされ、
前記集塵フィルタは、分極を生じるエレクトレット材を含み、
前記エレクトレット材は、
第１帯電列を有する第１繊維材と、
前記第１帯電列とは異なる第２帯電列を有する第２繊維材とを備えるものであり、
前記加圧部は、
前記集塵フィルタの一面に接触して前記集塵フィルタを加圧する第１加圧部位と、
前記集塵フィルタの他面に接触して前記集塵フィルタを加圧する第２加圧部位とを備え、
前記支持部は、
前記一面上に配置してあり、前記第１加圧部位を支持する第１支持部位と、
前記他面上に配置してあり、前記第２加圧部位を支持する第２支持部位とを備え
前記加圧部を、前記第１加圧部位を第１移動速度で移動させ、前記第２加圧部位を前記第１移動速度とは異なる第２移動速度で移動させる
ことを特徴とする集塵システム。
【請求項１１】
前記空気に含まれる塵埃を検出するセンシング装置を備え、
前記駆動部は、前記空気に含まれる塵埃を前記センシング装置が検出した場合に前記加圧部を動かす
ことを特徴とする請求項９に記載の集塵システム。
【請求項１２】
前記空気に含まれる塵埃を検出するセンシング装置を備え、
前記駆動部は、前記空気に含まれる塵埃を前記センシング装置が検出した場合に前記加圧部を動かす
ことを特徴とする請求項１０に記載の集塵システム。
【国際調査報告】
2017212669.tif 000017
2017212669.tif 000018
2017212669.tif 000019
2017212669.tif 000020